(57)【要約】【課題】  ポケットなどに入れて持ち運びができるとともに、必要に応じて複数枚のプレート基盤３を合体させて拡張できるブロック・パズルを提供する。【解決手段】  天面に多数の凸部７を有しており、中央部分が周囲の四方部分よりも１段高い２段構造をしたプレート基盤３と、天面が平面であり、その底面に少なくとも２行２列に形成された凹部８を有する凹型ブロック２と、天面に少なくとも２行２列に形成された凸部７を有しており、その底面に少なくとも２行２列に形成された凹部８を有する凹凸型ブロック４を用いる。複数枚のプレート基盤３は、その凸部７が凹型ブロック２又は凹凸型ブロック４の凹部８と嵌合することによって合体することができる。そして、凹型ブロック２の天面には、数字、文字、絵模様の一部などが印刷され、又はこれらが印刷されたシールが貼られている。【選択図】  図１
2012191998.tif 000002
【特許請求の範囲】
【請求項１】
天面に断面が略矩形状をした凸部を有するプレート基盤に、底面に断面が略矩形状をした凹部を有する複数個のブロックを嵌合させて形成するブロック・パズルにおいて、
前記プレート基盤は、天面の大部分を占めている中央部分が、周囲の四方部分よりも１段高い２段構造であり、
前記ブロックは、天面は平面であり、その底面には少なくとも２行２列に形成されている前記凹部を有する凹型ブロックであり、
前記プレート基盤の前記凸部と、前記凹型ブロックの前記凹部とは嵌合するものであり、
一方の前記プレート基盤の合体部分に隣接する前記四方部分に形成されている前記凸部と、他方の前記プレート基盤の合体部分に隣接する前記四方部分に形成されている前記凸部とに、前記凹型ブロックの前記凹部を嵌合させることによって、複数の前記プレート基盤を合体させることができる
ことを特徴とするブロック・パズル。
【請求項２】
天面に断面が略矩形状をした凸部を有するプレート基盤に、底面に断面が略矩形状をした凹部を有する複数個のブロックを嵌合させて形成するブロック・パズルにおいて、
前記プレート基盤は、天面の大部分を占めている中央部分が、周囲の四方部分よりも１段高い２段構造であり、
前記ブロックには、
天面は平面であり、その底面には少なくとも２行２列に形成されている前記凹部を有する凹型ブロックと、
天面には少なくとも２行２列に形成されている前記凸部を有しており、その底面には少なくとも２行２列に形成されている前記凹部を有する凹凸型ブロックとがあり、
前記プレート基盤の前記凸部と、前記凹型ブロック及び前記凹凸型ブロックの前記凹部とは嵌合するものであり、
前記凹凸型ブロックの前記凸部と、該凹凸型ブロック及び前記凹型ブロックの前記凹部とは嵌合するものであり、
一方の前記プレート基盤の合体部分に隣接する前記四方部分に形成されている前記凸部と、他方の前記プレート基盤の合体部分に隣接する前記四方部分に形成されている前記凸部とに、前記凹型ブロック又は前記凹凸型ブロックの前記凹部を嵌合させることによって、複数の前記プレート基盤を合体させることができる
ことを特徴とするブロック・パズル。
【請求項３】
前記プレート基盤は、
底面の周囲の四方部分に前記凹部を有しており、
該凹部は、前記凹凸型ブロックの前記凸部と嵌合するものである
ことを特徴とする請求項１又は請求項２記載のブロック・パズル。
【請求項４】
前記ブロックには、
天面が平面で、底面には１個の前記凹部を有しており、
該凹部は、前記プレート基盤の前記凸部及び前記凹凸型ブロックの前記凸部と嵌合する凹型微小ブロックが含まれている
ことを特徴とする請求項１、請求項２又は請求項３記載のブロック・パズル。
【請求項５】
前記ブロックには、
天面には１個の前記凸部を有し、底面には１個の前記凹部を有しており、
該凹部は、前記プレート基盤の前記凸部及び前記凹凸型ブロックの前記凸部と嵌合する凹凸型微小ブロックが含まれている
ことを特徴とする請求項１、請求項２又は請求項３記載のブロック・パズル。
【請求項６】
前記凹型ブロックと前記凹型微小ブロックの天面には、
数字、文字、絵模様の一部などが印刷され、又はこれらが印刷されたシールが貼られているものが含まれている
ことを特徴とする請求項１、請求項２、請求項３、請求項４又は請求項５記載のブロック・パズル。
【請求項７】
前記プレート基盤と、前記凹型ブロック又は前記凹型微小ブロックのうちのいずれか一方又は両方を用いて万年カレンダーを作成する
ことを特徴とする請求項６記載のブロック・パズル。
【発明の詳細な説明】
【技術分野】
【０００１】
本発明は、天面に絵柄、写真などの画像の一部や、文字、数字などの記号が印刷されている複数個のブロックをプレート基盤に嵌合させて、絵模様や万年カレンダーなどとして楽しむことができるブロック・パズルに関するものである。
【背景技術】
【０００２】
近年、節約志向が高まっており、家庭で手軽に繰り返して遊ぶことができるブロック・パズルの需要が伸びている。そして、これらの市場においては、従来のブロック・パズルに新たな機能や特徴を備えている製品の提供が求められている。
【０００３】
このような傾向にあって、絵柄や写真などの一部が切り取られた状態で印刷されている複数個のブロックを組み合わせることによって絵模様を完成させたり、文字や数字などが印刷されている複数個のブロックを組み合わせることによって繰り返して使用できる万年カレンダーを完成させたりするような製品が提供されている。
【０００４】
例えば、特許文献１のように、一般的には水泳などで利用されている発泡樹脂製のビート板を原材料とし、それを打抜き加工をした万年カレンダーに関する考案が提案されている。
【０００５】
一方、特許文献２のように、格子状をしたフレームのマス目に、あらかじめ数字や文字などが印刷されているサイコロ状をしたブロックを並べて万年カレンダーとして利用したり、簡単な文章を表示したりする考案も提案されている。
【０００６】
しかしながら、特許文献１や特許文献２などで開示されている万年カレンダー等は、寸法が大きく、一般家庭では置物や装飾品として使用されているようなサイズのものである。したがって、ポケットなどに入れて持ち運びができるような携帯サイズの大きさで、振動にも耐えられるようなものではない。
【０００７】
また、特許文献１や特許文献２などで開示されている万年カレンダー等は、ブロックを並べる基盤の大きさも限られており、需要者の好みに応じて基盤を自由に拡張して用いることができるようなものではない。
【先行技術文献】
【特許文献】
【０００８】
【特許文献１】登録実用新案第３０６７４１２号公報
【特許文献２】登録実用新案第３１５４７４６号公報
【発明の概要】
【発明が解決しようとする課題】
【０００９】
上述したように、繰り返し使える万年カレンダー等に関する技術が提案されてはいるものの、ポケットなどに入れて持ち運びができるような携帯サイズの大きさであり、かつ振動にも耐えられるようなものは見当たらないのが実情である。また、ブロックを並べる基盤の大きさも限られており、需要者の好みに応じて基盤を自由に拡張して用いることができるようなものでもない。
【００１０】
そこで、本発明は、絵模様や数字などが記載されているブロックを基盤に嵌合させることにより繰り返して使用することができるものであって、ポケットなどに入れて持ち運びができるとともに、必要に応じてブロックを嵌合させる基盤の大きさを自由に拡張できるブロック・パズルの提供を目的としている。
【課題を解決するための手段】
【００１１】
本発明は、上述した問題点の解決を目的とするものである。
【００１２】
請求項１記載の発明は、天面に断面が略矩形状をした凸部を有するプレート基盤に、底面に断面が略矩形状をした凹部を有する複数個のブロックを嵌合させて形成するブロック・パズルにおいて、前記プレート基盤は、天面の大部分を占めている中央部分が、周囲の四方部分よりも１段高い２段構造であり、前記ブロックは、天面は平面であり、その底面には少なくとも２行２列に形成されている前記凹部を有する凹型ブロックであり、前記プレート基盤の前記凸部と、前記凹型ブロックの前記凹部とは嵌合するものであり、一方の前記プレート基盤の合体部分に隣接する前記四方部分に形成されている前記凸部と、他方の前記プレート基盤の合体部分に隣接する前記四方部分に形成されている前記凸部とに、前記凹型ブロックの前記凹部を嵌合させることによって、複数の前記プレート基盤を合体させることができることを特徴としている。
【００１３】
すなわち、複数枚のプレート基盤を合体させる合体用ブロックとして凹型ブロックを用いることができる。凹型ブロックは、底面に２行２列に配列されている計４個の凹部を有しているので、プレート基盤の凸部との嵌合後は嵌合軸方向にグラついたり回転したりすることがない。したがって、ポケットなどに入れて持ち運びをしても、プレート基盤の凸部から凹型ブロックが外れることもない。
【００１４】
請求項２記載の発明は、天面に断面が略矩形状をした凸部を有するプレート基盤に、底面に断面が略矩形状をした凹部を有する複数個のブロックを嵌合させて形成するブロック・パズルにおいて、前記プレート基盤は、天面の大部分を占めている中央部分が、周囲の四方部分よりも１段高い２段構造であり、前記ブロックには、天面は平面であり、その底面には少なくとも２行２列に形成されている前記凹部を有する凹型ブロックと、天面には少なくとも２行２列に形成されている前記凸部を有しており、その底面には少なくとも２行２列に形成されている前記凹部を有する凹凸型ブロックとがあり、前記プレート基盤の前記凸部と、前記凹型ブロック及び前記凹凸型ブロックの前記凹部とは嵌合するものであり、前記凹凸型ブロックの前記凸部と、該凹凸型ブロック及び前記凹型ブロックの前記凹部とは嵌合するものであり、一方の前記プレート基盤の合体部分に隣接する前記四方部分に形成されている前記凸部と、他方の前記プレート基盤の合体部分に隣接する前記四方部分に形成されている前記凸部とに、前記凹型ブロック又は前記凹凸型ブロックの前記凹部を嵌合させることによって、複数の前記プレート基盤を合体させることができることを特徴としている。
【００１５】
凹凸型ブロックを用いて複数のプレート基盤を合体させた場合には、合体後のプレート基盤の凸部の高さは、中央部分も周囲の合体された部分も同じ高さにすることができる。したがって、合体後のプレート基盤を用いると、繋ぎ目のない大きな絵模様などを形成することができる。
【００１６】
請求項３記載の発明は、請求項１又は請求項２記載の発明において、前記プレート基盤は、底面の周囲の四方部分に前記凹部を有しており、該凹部は、前記凹凸型ブロックの前記凸部と嵌合するものであることを特徴としている。
【００１７】
プレート基盤の底面の周囲部分に形成した凹部に、好みに応じて複数個の凹凸型ブロックを嵌合させることによって、一対の衝立部を形成して自立させることができる。この場合に、凹凸型ブロックの数を好みに応じて選択することによって、卓上用として設置する場合でも好みの角度に調整することができる。
【００１８】
請求項４記載の発明は、請求項１、請求項２又は請求項３記載の発明において、前記ブロックには、天面が平面で、底面には１個の前記凹部を有しており、該凹部は、前記プレート基盤の前記凸部及び前記凹凸型ブロックの前記凸部と嵌合する凹型微小ブロックが含まれていることを特徴としている。
【００１９】
凹型微小ブロックを用いると、凹型ブロックに比べて、天面の面積が１／４と小さいので、より高密度なブロック・パズルを形成することができる。
【００２０】
請求項５記載の発明は、請求項１、請求項２又は請求項３記載の発明において、前記ブロックには、天面には１個の前記凸部を有し、底面には１個の前記凹部を有しており、該凹部は、前記プレート基盤の前記凸部及び前記凹凸型ブロックの前記凸部と嵌合する凹凸型微小ブロックが含まれていることを特徴としている。
【００２１】
この凹凸型微小ブロックを、プレート基盤周囲の四方部分に形成されている一段低い凸部と嵌合させることによって、プレート基盤天面の凸部の高さをそろえることができる。
【００２２】
請求項６記載の発明は、請求項１、請求項２、請求項３、請求項４又は請求項５記載の発明において、前記凹型ブロックと、前記凹型微小ブロックの天面には、数字、文字、絵模様の一部などが印刷され、又はこれらが印刷されたシールが貼られていることを特徴としている。
【００２３】
凹型ブロックや凹型微小ブロックの天面に、数字、文字、絵模様の一部などを印刷等することによって、ブロック・パズルとして用いることができる。
【００２４】
請求項７記載の発明は、請求項６記載の発明において、前記プレート基盤と、前記凹型ブロック又は前記凹型微小ブロックのうちのいずれか一方又は両方を用いて万年カレンダーを作成することを特徴としている。
【００２５】
本発明を用いることによって、ポケットなどに入れて持ち運びができる万年カレンダーを作成することができる。
【発明の効果】
【００２６】
本発明に係わるブロック・パズルは、絵模様や数字などが記載されているブロックをプレート基盤に嵌合させたり、取り外したりすることによって繰り返して使用することができる。そして、ポケットなどに入れて持ち運びができるとともに、装飾用として壁面に立てた状態で固定しても各ブロックがプレート基盤から外れることもない。
【００２７】
また、需要者の好みに応じて複数枚のプレート基盤を合体させて、その大きさを自由に拡張して使用をすることができる。したがって、繋ぎ目のない絵模様などを形成することができる。
【００２８】
加えて、本発明を用いたブロック・パズルは、部品数も少ないので安価な費用で製造をすることができる。
【図面の簡単な説明】
【００２９】
【図１】ブロック・パズルの説明図である。
【図２】ブロック・パズルを用いた絵模様及び万年カレンダーの説明図である。
【図３】プレート基盤の底面にマグネットを取り付けた説明図である。
【図４】プレート基盤の底面に絵模様を印刷した説明図である。
【図５】プレート基盤の天面の説明図である。
【図６】凹型ブロック１，２の説明図である。
【図７】凹凸型ブロック４，４ａの説明図である。
【発明を実施するための形態】
【００３０】
以下において、本発明に係わるブロック・パズル２０の実施の形態について、図１〜図７を用いて詳細に説明する。
（本発明に係わるブロック・パズル）
本発明に係わるブロック・パズル２０は、例えば、プレート基盤３、凹型ブロック２、凹凸型ブロック４ などの形状に特徴のある３種類の構造体で構成されている（図１）。これら３種類の構造体は、バイオマス・プラスチックなどの樹脂を用いて、射出成型法によって製造することができる。
【００３１】
これらの構造体には、凸部７や凹部８が形成されており、図示されていないものも含めて、それぞれが同一の寸法形状をしており、それぞれの凸部７と凹部８とを互いに嵌合させて一体化することができる。そして、それぞれの凸部７と凹部８の断面が略矩形状をしている。なお、凸部７と凹部８の断面を矩形状にすることによって、嵌合後は軸方向に回転したりすることがない。
【００３２】
本発明は、ポケットなどに入れて持ち運びをすることも可能な携帯サイズの大きさのブロック・パズル２０の提供を目的としているので、後述するようにそれぞれの構造体自体も小さな寸法形状のものである。
（プレート基盤）
プレート基盤３は、平面状をした略直方体であり、その天面には多数の凸部７が形成されている（図５）。この凸部７は、凹型ブロック２（図６）及び凹凸型ブロック４（図７）などの底面部分に形成されている凹部８と嵌合することができる。
【００３３】
プレート基盤３の天面は２段構造をしており、天面の大部分を占めている中央部分は、周囲の四方部分よりも１段（凹型ブロック２又は凹凸型ブロック４の高さ相当分。約２．５ｍｍ程度）高い構造となっている。すなわち、プレート基盤３の周囲の四方部分に形成されている１列の凸部７は、中央部分に形成されている多数の凸部７よりも１段低い位置に形成されている。
【００３４】
後述するように、プレート基盤３天面周囲の四方部分に形成されている一段低い凸部７と、凹型ブロック２又は凹凸型ブロック４の底面部分に形成されている凹部８とを、それぞれのプレート基盤３を跨ぐように嵌合させることによって、複数のプレート基盤３を合体させることができる。
【００３５】
なお、凹凸型ブロック４を用いて複数のプレート基盤３を合体させた場合には、合体後のプレート基盤３の凸部７の高さは、中央部分も四方の合体された部分も同じ高さにすることができる。したがって、合体後のプレート基盤３を用いると、繋ぎ目のない大きな絵模様を形成することができる。
【００３６】
一方、プレート基盤３の底面は、周囲の四方部分と、周囲の四方部分よりも１段低い中央部分とで構成されている（図３、図４）。この周囲の四方部分には１列の凹部８を有しており、凹凸型ブロック４の天面に形成されている凸部７と嵌合することができる（図２、図７）。
【００３７】
プレート基盤３の底面の１段低い中央部分には、冷蔵庫扉などの鋼板製の表面に取付けたり取外しをしたりすることができるように、図示されていない接着剤等で磁石５を貼り付けて使用することもできる（図３）。同様に、図示されていない両面テープ等で、プレート基盤３を壁面等に貼り付けて固定することもできる。
【００３８】
また、プレート基盤３の底面の１段低い中央部分には、あらかじめ絵模様などを印刷しておき、そのままの状態でも置物として利用することもできる（図４）。
（凹型ブロック）
凹型ブロック２は、略直方体形状であり、天面は平面形状をしており、底面にはプレート基盤３や凹凸型ブロック４の凸部７と嵌合できる４個の凹部８を有している（図１、図６）。凹型ブロック２の寸法は、天面が約５ｍｍ角であり、約２．５ｍｍの高さをしている。
【００３９】
凹型ブロック２の天面には、絵模様の一部、数字、文字などを印刷したり、これらが印刷されているシールを貼ったりすることができる。なお、絵模様や文字・数字などの印刷方法としては、ダイレクト印刷法、箔押し印刷法、シルク印刷法などがある。
【００４０】
凹型ブロック２は、底面に２行２列に配列されている計４個の凹部８を有しているので、プレート基盤３や凹凸型ブロック４の凸部７との嵌合後は嵌合軸方向にグラついたり回転したりすることがない。したがって、凹型ブロック２は、後述するようにプレート基盤３の合体用ブロック１０として用いることもできる。
【００４１】
なお、本実施例では、凹型ブロック２として、底面に少なくとも２行２列に配列されている計４個の凹部８を有するものについての記載をしているが、２行３列や２行４列のように本実施例よりも、行方向や列方向に多くの凹部８を有するものについても同様の効果がある。
（凹凸型ブロック）
凹凸型ブロック４は、略直方体形状であり、天面にはプレート基盤３と同様の凸部７が４個形成されており、底面には図６に示されている凹型ブロック２と同様の４個の凹部８を有している（図７）。これらの凹部８は、プレート基盤３の凸部７や他の凹凸型ブロックの凸部７と嵌合することができる。凹凸型ブロック４の寸法は、天面が約５ｍｍ角であり、約３．５ｍｍの高さをしている。
【００４２】
凹凸型ブロック４は、凹型ブロック２と同様に２行２列に配列されている計４個の凹部８を有しているので、プレート基盤３や凹凸型ブロック４の凸部７と嵌合後は嵌合軸方向にグラついたり回転したりすることがない。
【００４３】
したがって、凹凸型ブロック４は、凹型ブロック２と同様に、プレート基盤３の合体用ブロック１０としても用いることができる。そして、凹凸型ブロック４を用いて複数のプレート基盤３を合体させた場合には、合体後のプレート基盤３の凸部７の高さは、中央部分も周囲の合体された部分も同じ高さにすることができる。
【００４４】
凹凸型ブロック４の凸部７は、凹型微小ブロック１、凹型ブロック２及び凹凸型ブロック４の凹部８と嵌合できる。したがって、凹凸型ブロック４を積み重ねることによって、ブロック・パズル２０の厚み調整用としても用いることができる。
【００４５】
また、後述するように、凹凸型ブロック４の凸部７は、プレート基盤３の底面の周囲部分に形成されている凹部８とも嵌合することができる（図２、図３、図４）。
【００４６】
凹凸型ブロック４の他の例としては、図７に示されるように凹凸型微小ブロック４ａ（１行１列）のように、天面には１個の凸部７を有し、底面には１個の凹部８を有するブロックがある。この凹凸型微小ブロック４ａを、プレート基盤３周囲の四方部分に形成されている一段低い凸部７と嵌合させることによって、プレート基盤３の天面の凸部７の高さのすべてをそろえることができる。
【００４７】
なお、本実施例では、凹凸型ブロック４、４ａとして、天面や底面に１行１列及び２行２列に配列されている凸部７や凹部８を有するものについて記載をしているが、２行３列や２行４列のように本実施例よりも、行方向や列方向に多くの凹部８を有するものについても同様の効果がある。
（凹型微小ブロック）
凹型微小ブロック１は、略サイコロ形状であり、天面は平面形状をしており、底面にはプレート基盤３や凹凸型ブロック４の凸部７と嵌合できる１個の凹部８を有するブロックである（図６）。
【００４８】
凹型微小ブロック１の寸法は、約２．５ｍｍ角であり、高さが約２．５ｍｍであり、天面には上述した手法で、数字、文字、絵模様の一部などを印刷したり、印刷されたシールを貼ったりすることができる。
【００４９】
凹型微小ブロック１を用いると、上述した凹型ブロック２に比べて、天面の面積が１／４と小さいので、より高密度なブロック・パズル２０を形成することができる。なお、嵌合する凸部７や凹部８の断面が略矩形状をしているので、嵌合後は嵌合軸方向に回転することがない。
（凹型ブロック又は凹凸型ブロックによるプレート基盤の合体）
凹型ブロック２又は凹凸型ブロック４を、合体用ブロック１０として用いることによって、複数枚のプレート基盤３を合体させることができる（図１）。まず、合体部分１１が形成されるように複数枚のプレート基盤３を互いに接する状態とする。そして、隣接するプレート基盤３の２個の凸部７に、凹型ブロック２又は凹凸型ブロック４の２個の凹部８を跨るように嵌合させることによって、複数枚のプレート基盤３を合体させることができる。
【００５０】
例えば、図１に示されるように、４枚のプレート基盤３の天面の合体部分１１に隣接する凸部７に、凹凸型ブロック４のそれぞれの底面に形成されている凹部８を跨るように嵌合させることによって、それぞれのプレート基盤３どうしをしっかりと合体させることができる（図１）。
【００５１】
ここで、各プレート基盤３の合体部分１１近傍の凸部７に、複数個の凹凸型ブロック４の凹部８が跨るように嵌合されているので、各プレート基盤３がグラついたり、外れたりすることもない。
【００５２】
すなわち、本発明を用いると需要者の好みに応じてプレート基盤３のサイズを自由に拡張することができるので、繋ぎ目のない絵模様を形成することができる。したがって、絵模様などのサイズがプレート基盤３の寸法によって制限されることもない。なお、合体用ブロック１０として、図１に示されるような凹凸型ブロック４に替えて凹型ブロック２を用いることもできる。
【実施例１】
【００５３】
（猫の絵模様及び万年カレンダー）
図２において、本発明に係わるブロック・パズル２０を、１枚のプレート基盤３には猫の絵模様を、もう１枚のプレート基盤３には万年カレンダーとして用い、２枚のプレート基盤３に凹凸型ブロック４を用いて合体させる場合の実施例について説明する。
【００５４】
１枚のプレート基盤３には、組みあがった状態で猫の絵模様が形成されるようにブロックごとに印刷されている凹型ブロック２を用いる。そして、プレート基盤３の天面の凸部７に、天面に猫の絵模様の一部が印刷されている多数個の凹型ブロック２を嵌合させることによって猫の絵模様が完成する。
【００５５】
なお、上述した実施例では、絵模様が印刷されているブロックとして凹型ブロック２を用いたものについて説明をしたが、天面寸法の小さい凹型微小ブロック１を用いると、さらに高密度な絵模様を形成することができる。
【００５６】
同様に、１枚のプレート基盤３と、万年カレンダーが形成されるようにブロックごとに文字や数字が印刷されている凹型ブロック２を用いる。そして、プレート基盤３の凸部７に、天面に文字や数字が印刷されている凹型ブロック２を嵌合させることによって万年カレンダーが完成する。
【００５７】
月が替わった場合には、上部の曜日が印刷されている文字の部分はそのままの状態とし、日にちを表す数字が印刷されている凹型ブロック２をプレート基盤３から取り外した後に、その凹型ブロック２を月ごとに適切な位置に嵌合させることによって万年カレンダーとして利用をすることができる。
【００５８】
なお、図２では、月初めの日曜日が１日（ついたち）となる例を示している。一方、月初めの１日（ついたち）となる日が日曜日以外の曜日（例えば、月曜日の場合など。）の場合には、天面に印刷されていない凹型ブロック２をプレート基盤３の凸部７に嵌合させたり、数字以外の絵文字等が印刷されている凹型ブロック２をその部分に嵌合させたりすることができる。
（２枚のプレート基盤の合体）
次に、上方の猫の絵模様のプレート基盤３と、下方の万年カレンダーのプレート基盤３とを、合体用ブロック１０として凹凸型ブロック４を用いて合体させるようにした（図２）。
【００５９】
上述したように、プレート基盤３の天面は２段構造をしており、周囲の四方部分に形成されている１列の凸部７は、中央部分に形成されている凸部７よりも１段（約２．５ｍｍ）低い位置に形成されている。この１段低い位置に形成されている凸部７を用いて複数のプレート基盤３を合体させることができる。
【００６０】
ここで、猫の絵模様のあるプレート基盤３の下端部分の凸部７のうちの２個と、万年カレンダーのあるプレート基盤３の上端部分の複数の凸部７のうちの２個とを、凹凸型ブロック４の底面に形成されている図示されていない４個の凹部８を用い、この凹部８が２枚のプレート基盤３に跨るように嵌合させて、それぞれのプレート基盤３を合体させて１枚にすることができる。
【００６１】
すなわち、上方のプレート基盤３の合体部分１１に隣接する凸部７と、下方のプレート基盤３の合体部分１１に隣接する凸部７とに、合体用ブロック１０として凹凸型ブロック４の凹部８を嵌合させることによって、２枚のプレート基盤３を合体させることができる。
【００６２】
そうすると、合体部分１１の上方には猫の絵模様が、下方には万年カレンダーが形成されている１枚のブロック・パズルが完成する（図２）。また、合体用ブロック１０として凹凸型ブロック４の凹部８を嵌合させて用いているので、この凹凸型ブロック４の天面の凸部７の高さは、プレート基盤３の中央部分の多数の凸部７の高さと横並びに揃えることができる。したがって、繋ぎ目のない１枚のプレート基盤として利用することができる。
【００６３】
なお、凹凸型ブロック４は、２行２列に配列されている計４個の凹部８を有しており、この凹部８は２枚のプレート基盤３の凸部７と跨るように嵌合されるので、合体後のそれぞれのプレート基盤３はしっかりと固定されており、嵌合軸方向にグラついたり回転したりすることがない。したがって、合体後のプレート基盤３を、そのままポケットなどに入れてもそれぞれのブロックやプレート基盤３が外れたりすることがなく、そのまま持ち運びをすることができる。
【００６４】
一方、複数枚のプレート基盤３を合体させるというような合体用ブロック１０としての用途のみであれば、凹凸型ブロック４に替えて凹型ブロック２を用いることもできる。ただし、この場合には、凹型ブロック２の天面には凸部７を有していないので、さらに他の凹型ブロック２や凹凸型ブロック４と嵌合することはできないことになる。
（衝立部の形成）
下方のプレート基盤３の底面の周囲部分に形成した凹部８に、好みに応じて複数個の凹凸型ブロック４を嵌合させて一対の衝立部９を形成して自立させることができる（図２）。この場合に、凹凸型ブロック４の数を好みに応じて選択することによって、卓上用として設置する場合でも好みの角度に調整することができる。なお、図２では、凹凸型ブロック４を５個重ねて嵌合させたものを用いている。
【００６５】
本発明に係わるブロック・パズル２０は、プレート基盤３、凹型ブロック２、凹凸型ブロック４、凹型微小ブロック１などの構造体の凸部７と凹部８とがそれぞれ嵌合された状態で保持されている。そして、それぞれの部品寸法が小さいので、コンパクトなブロック・パズル２０を構成することができる。加えて、それぞれの凸部７や凹部８の断面が略矩形状をしているので、嵌合後は嵌合軸方向に回転することがない。
【００６６】
また、凹型ブロック２や凹凸型ブロック４は、２行２列に配列されている計４個の凹部８を有しているので、プレート基盤３や凹凸型ブロック４の凸部７との嵌合後は、しっかりと固定される。したがって、ポケットなどに入れて持ち運びをしても、それぞれのブロックがプレート基盤３から外れることはなく、そのまま壁面などに垂直に立てた状態で飾ることができる。
【００６７】
一方、複数のプレート基盤３を、凹型ブロック２又は凹凸型ブロック４を合体用ブロック１０として用いることによってそれぞれのプレート基盤３を合体させることができるので、大きさに制限のないブロック・パズル２０を提供することができる。したがって、繋ぎ目のない大きな絵模様を形成することができる。
【００６８】
さらに、本発明を用いたブロック・パズル２０は、部品数も少ないので安価な費用で製造をすることができる。
【産業上の利用可能性】
【００６９】
本発明は、天面に絵柄、写真などの画像の一部や、文字、数字などの記号が印刷されている複数個のブロックをプレート基盤に嵌合させて、絵模様や万年カレンダーなどとして楽しむことができるブロック・パズルに利用することができる。
【符号の説明】
【００７０】
１    凹型微小ブロック
２    凹型ブロック
３    プレート基盤
４    凹凸型ブロック
４ａ  凹凸型微小ブロック
５    磁石
６    印刷部
７    凸部
８    凹部
９    衝立部
１０    合体用ブロック
１１    合体部分
２０    ブロック・パズル
【図１】
2012191998.tif 000003
【図２】
2012191998.tif 000004
【図３】
2012191998.tif 000005
【図４】
2012191998.tif 000006
【図５】
2012191998.tif 000007
【図６】
2012191998.tif 000008
【図７】
2012191998.tif 000009